(57)【要約】【課題】スマート型手持ち式装置と無線接続し、表示モニタを設置する必要がないため、低コストで遠隔操作を行うことができる上、応用範囲が広いリアルタイム画像音声通信装置を提供する。【解決手段】リアルタイム画像音声通信装置は、ビデオ信号及びオーディオ信号を受信するとオーディオビデオ信号を生成する中央処理ユニット１と、中央処理ユニット１と電気的に接続され、外部の画像をキャプチャしてビデオ信号へ変換し、ビデオ信号を中央処理ユニット１へ送る撮像部２と、中央処理ユニット１と電気的に接続され、外部の音声をキャプチャしてオーディオ信号へ変換し、オーディオ信号を中央処理ユニット１へ送る音声キャプチャユニット３と、中央処理ユニット１と電気的に接続され、オーディオビデオ信号を受信して無線通信方式によりスマート型手持ち式装置１０へ送る無線通信部４とを備える。【選択図】図１
0003174613.tif 000002
【実用新案登録請求の範囲】
【請求項１】
オーディオビデオ信号を再生する再生モジュールを有する少なくとも１つのスマート型手持ち式装置と無線接続され、前記オーディオビデオ信号を送るリアルタイム画像音声通信装置であって、
ビデオ信号及びオーディオ信号を受信すると前記オーディオビデオ信号を生成する中央処理ユニットと、
前記中央処理ユニットと電気的に接続され、外部の画像をキャプチャして前記ビデオ信号へ変換し、前記ビデオ信号を前記中央処理ユニットへ送る撮像部と、
前記中央処理ユニットと電気的に接続され、外部の音声をキャプチャして前記オーディオ信号へ変換し、前記オーディオ信号を前記中央処理ユニットへ送る音声キャプチャユニットと、
前記中央処理ユニットと電気的に接続され、前記オーディオビデオ信号を受信して無線通信方式によりスマート型手持ち式装置へ送る無線通信部と、を備えることを特徴とするリアルタイム画像音声通信装置。
【請求項２】
前記撮像部が、撮影ユニット及び発光ユニットのうちの少なくともいずれか１つを含み、前記無線通信部が、無線ネットワーク通信ユニット及びＢｌｕｅｔｏｏｔｈ（登録商標）通信ユニットのうちの少なくともいずれか１つを含む請求項１に記載のリアルタイム画像音声通信装置。
【請求項３】
前記中央処理ユニットと電気的に接続されるとともに前記オーディオビデオ信号を記憶するメモリユニット、前記中央処理ユニットと電気的に接続された音声出力ユニット、前記中央処理ユニットと電気的に接続されたデータ入出力ユニット、前記中央処理ユニットと電気的に接続された制御ユニット、及び前記中央処理ユニットと電気的に接続された電力ユニットの少なくともいずれかを更に備える請求項１から２のいずれかに記載のリアルタイム画像音声通信装置。
【請求項４】
前記スマート型手持ち式装置が、スマートフォン、パーソナルデジタルアシスタント、携帯型コンピュータ及びタブレット型パソコンのいずれかである請求項１から３のいずれかに記載のリアルタイム画像音声通信装置。
【考案の詳細な説明】
【技術分野】
【０００１】
本考案は、リアルタイム画像音声通信装置に関し、特に、スマート型手持ち式装置を用いるため、表示モニタを設置する必要がなく、コストを下げて遠隔操作をすることができる上、応用範囲が広いリアルタイム画像音声通信装置に関する。
【背景技術】
【０００２】
従来の撮影機は、ビデオカメラと、ビデオカメラの側部へ可動可能に結合された表示モニタとから構成される。使用する際、表示モニタをビデオカメラの側部から起こして開き、ビデオカメラを利用して所望の動画又は静止画をキャプチャ（又は再生）し、表示モニタによりキャプチャした画像を表示する。
【０００３】
ただし、従来の撮影機は、表示モニタが組み合わされていることが一般的であるため、製造コスト及び販売価格が高くなる傾向にある。また、従来の撮影機を使用して動画又は静止画をキャプチャする際、ユーザは撮影機近くで待機して画像の撮影を行う必要があるため利便性が低い。
【０００４】
従来技術の問題点に鑑み、低コストで遠隔操作を行うことができる上、応用範囲が広いリアルタイム画像通信装置が求められていた。
【考案の概要】
【考案が解決しようとする課題】
【０００５】
本考案の目的は、スマート型手持ち式装置と無線接続し、表示モニタを設置する必要がないため、低コストで遠隔操作を行うことができる上、応用範囲が広いリアルタイム画像音声通信装置を提供することにある。
【課題を解決するための手段】
【０００６】
前記課題を解決するために、本考案の第１の形態によれば、動画、静止画、音声信号等のオーディオビデオ信号を再生する再生モジュールを有する少なくとも１つのスマート型手持ち式装置と無線接続され、前記オーディオビデオ信号を送るリアルタイム画像音声通信装置であって、ビデオ信号及びオーディオ信号を受信すると前記オーディオビデオ信号を生成する中央処理ユニットと、前記中央処理ユニットと電気的に接続され、外部の画像をキャプチャして前記ビデオ信号へ変換し、前記ビデオ信号を前記中央処理ユニットへ送る撮像部と、前記中央処理ユニットと電気的に接続され、外部の音声をキャプチャして前記オーディオ信号へ変換し、前記オーディオ信号を前記中央処理ユニットへ送る音声キャプチャユニットと、前記中央処理ユニットと電気的に接続され、前記オーディオビデオ信号を受信して無線通信方式によりスマート型手持ち式装置へ送る無線通信部と、を備えることを特徴とするリアルタイム画像音声通信装置が提供される。
【０００７】
また、前記撮像部は、撮影ユニット及び発光ユニットのうちの少なくともいずれか１つを含み、前記無線通信部は、無線ネットワーク通信ユニット及びＢｌｕｅｔｏｏｔｈ（登録商標）通信ユニットのうちの少なくともいずれか１つを含むことが好ましい。
【０００８】
また、前記中央処理ユニットと電気的に接続されるとともに前記オーディオビデオ信号を記憶するメモリユニット、前記中央処理ユニットと電気的に接続された音声出力ユニット、前記中央処理ユニットと電気的に接続されたデータ入出力ユニット、前記中央処理ユニットと電気的に接続された制御ユニット、及び前記中央処理ユニットと電気的に接続された電力ユニットの少なくともいずれかを更に備えることが好ましい。
【０００９】
また、前記スマート型手持ち式装置は、スマートフォン、パーソナルデジタルアシスタント、携帯型コンピュータ及びタブレット型パソコンのいずれかであることが好ましい。
【考案の効果】
【００１０】
本考案のリアルタイム画像音声通信装置は、スマート型手持ち式装置を用いるため、表示モニタを設置する必要がなく、コストを下げて遠隔操作をすることができる上、応用範囲が広い。
【図面の簡単な説明】
【００１１】
【図１】図１は、本考案の一実施形態によるリアルタイム画像音声通信装置を示すブロック図である。
【図２】図２は、本考案の一実施形態によるリアルタイム画像音声通信装置を使用するときの状態を示す模式図である。
【図３】図３は、本考案の他の実施形態によるリアルタイム画像音声通信装置を使用するときの状態を示す模式図である。
【考案を実施するための形態】
【００１２】
以下、本考案の実施例について図に基づいて説明する。なお、これによって本考案が限定されるものではない。
【００１３】
図１及び図２を参照する。図１及び図２に示すように、本考案の一実施形態によるリアルタイム画像音声通信装置のスマート型手持ち式装置１０（例えば、スマートフォン、パーソナルデジタルアシスタント、携帯型コンピュータ、タブレット型パソコンなど）は、すでに一般に普及しているものである。従来のスマート型手持ち式装置１０は、表示パネル１０３、スピーカ１０６及びメモリユニット１０５を有するとともに、無線ネットワーク通信ユニット１０１及びＢｌｕｅｔｏｏｔｈ（登録商標）通信ユニット１０２のうちの少なくともいずれか１つを含む。そのため、本実施形態のリアルタイム画像音声通信装置は、スマート型手持ち式装置１０の既存の機能を有し、中央処理ユニット１、撮像部２、音声キャプチャユニット３、及び無線通信部４を含む。
中央処理ユニット１は、ビデオ信号及びオーディオ信号を受信すると、オーディオビデオ信号を生成する中央処理装置でもよい。
撮像部２は、中央処理ユニット１と電気的に接続され、外部の画像をキャプチャしてビデオ信号へ変換し、中央処理ユニット１へ送るために用いる。
音声キャプチャユニット３は、中央処理ユニット１と電気的に接続され、外部の音声をキャプチャしてオーディオ信号へ変換し、中央処理ユニット１へ送るために用いるマイクでもよい。
無線通信部４は、中央処理ユニット１と電気的に接続され、オーディオビデオ信号を受信してスマート型手持ち式装置１０と無線通信を行う。そのため、本実施形態のリアルタイム画像音声通信装置の無線通信部４は、少なくとも１つのスマート型手持ち式装置１０（図２に示すスマート型手持ち式装置１０の数は３つであるが、勿論、１つ、２つ又は４つ以上でもよい）の無線ネットワーク通信ユニット１０１又はＢｌｕｅｔｏｏｔｈ（登録商標）通信ユニット１０２と無線接続され、オーディオビデオ信号を送ってもよい。
スマート型手持ち式装置１０は、それが有する表示パネル１０３、スピーカ１０６及び再生モジュール１０４（図３参照）によりオーディオビデオ信号をリアルタイムで再生し、オーディオビデオ信号をスマート型手持ち式装置１０のメモリユニット１０５へ記憶し、ユーザがこのオーディオビデオ信号を何度も再生させることができるようにしてもよい。この構成により、本実施形態のリアルタイム画像音声通信装置は、表示モニタを設置する必要がなく、コストを下げて遠隔操作をすることができるため、応用範囲が広い。
【００１４】
上述したことから分かるように、本実施形態のリアルタイム画像音声通信装置を用いて撮影する際、ユーザはリアルタイム画像音声通信装置の間近にいる必要がなく、近い場所又は遠い場所からスマート型手持ち式装置を用いて制御することができる。ここで近い場所とは、例えば、自動車の車内であり、本実施形態のリアルタイム画像音声通信装置をドライブレコーダーとして用いる場合、ユーザは後部座席に座りながらリアルタイム画像音声通信装置により監視を行うことができる。ここで遠い場所とは、例えば、試合、パフォーマンスなどを見る会場で、前方の座席が売れ切れたり、チケットの価格が高すぎる場合に、本実施形態のリアルタイム画像音声通信装置を試合、パフォーマンスなどを行う場所近くに設置し、ユーザが遠い場所でスマート型手持ち式装置を使って試合、パフォーマンスなどを見ることができるため、利便性が高い。
【００１５】
図３を参照する。図３に示すように、本実施形態のスマート型手持ち式装置１０が複数ある場合、内蔵された再生モジュール１０４によりリアルタイム画像音声通信装置を遠隔制御することができる。この遠隔制御には、例えば、電源のオン／オフ、画像キャプチャ用レンズの焦点距離調整、録画機能のオン／オフなどが含まれる。
【００１６】
図１〜図３を参照する。図１〜図３に示すように、上述の撮像部２は、撮影ユニット２１及び発光ユニット２２のうちの少なくともいずれか１つを含む。この撮影ユニット２１は、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を含むレンズでもよい。撮影ユニット２１は、静止画又は動画を撮影し、焦点距離を調整し、撮影現場の照度が不足する場合、照度不足を補うために、発光ユニット２２としてＬＥＤ（Ｌｉｇｈｔ  Ｅｍｉｔｔｉｎｇ  Ｄｉｏｄｅ）を使用してもよい。
【００１７】
上述の無線通信部４は、無線ネットワーク通信ユニット４１及びＢｌｕｅｔｏｏｔｈ（登録商標）通信ユニット４２のうちの少なくともいずれか１つを含む。無線通信部４は、使用状況に応じて選択使用することができる。例えば、本実施形態のリアルタイム画像音声通信装置は、スマート型手持ち式装置１０までの距離が近い場合、Ｂｌｕｅｔｏｏｔｈ（登録商標）通信ユニット４２と、スマート型手持ち式装置１０のＢｌｕｅｔｏｏｔｈ（登録商標）通信ユニット１０２とが無線接続を行い、スマート型手持ち式装置１０までの距離が遠い場合、無線ネットワーク通信ユニット４１と、スマート型手持ち式装置１０の無線ネットワーク通信ユニット１０１との間で無線接続を行う。
【００１８】
上述のリアルタイム画像音声通信装置は、中央処理ユニット１と電気的に接続されたメモリであるメモリユニット５を更に含んでもよい。メモリユニット５は、オーディオビデオ信号を記憶し、リアルタイム画像音声通信装置が撮影した後にユーザがスマート型手持ち式装置１０により、オーディオビデオ信号の画像・音声を何度も視聴することができる。
【００１９】
上述のリアルタイム画像音声通信装置は、中央処理ユニット１と電気的に接続された音声出力ユニット６（例えば、スピーカ）を更に含んでもよい。音声出力ユニット６は、スマート型手持ち式装置１０によりオーディオビデオ信号を再生する際、音声を出力するために用いる。
【００２０】
上述のリアルタイム画像音声通信装置は、中央処理ユニット１と電気的に接続されたデータ出入力ユニット７（例えば、様々な接続ポート）を更に含んでもよい。データ出入力ユニット７によりその他のオーディオビデオデータをリアルタイム画像音声通信装置へ入力してから、スマート型手持ち式装置１０により再生することができる。また、リアルタイム画像音声通信装置は、撮影して生成したオーディオビデオ信号を、例えば、ハードディスク、メモリカードなどのその他の電子装置（図示せず）へデータ出入力ユニット７を介して出力する。
【００２１】
上述のリアルタイム画像音声通信装置は、中央処理ユニット１と電気的に接続された制御ユニット８（例えば、押しボタンセット）を更に含んでもよい。制御ユニット８により、リアルタイム画像音声通信装置の作動を直接制御することができる。この制御には、例えば、電源のオン／オフ、画像キャプチャ用レンズの焦点距離調整、録画機能のオン／オフなどが含まれる。
【００２２】
上述のリアルタイム画像音声通信装置は、中央処理ユニット１と電気的に接続されるとともに、リアルタイム画像音声通信装置内の構成要素全てに電気を供給する電力ユニット９を更に含んでもよい。この電力ユニット９には、必要に応じて内部電源（例えば、一次電池又は二次電池）又は外部電源（例えば、発電機又はコンセントの電源）を用いてもよい。
【００２３】
当該分野の技術を熟知するものが理解できるように、本考案の好適な実施例を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１      中央処理ユニット
２      撮像部
３      音声キャプチャユニット
４      無線通信部
５      メモリユニット
６      音声出力ユニット
７      データ出入力ユニット
８      制御ユニット
９      電力ユニット
１０      スマート型手持ち式装置
２１      撮影ユニット
２２      発光ユニット
４１      無線ネットワーク通信ユニット
４２      Ｂｌｕｅｔｏｏｔｈ（登録商標）通信ユニット
１０１      無線ネットワーク通信ユニット
１０２      Ｂｌｕｅｔｏｏｔｈ（登録商標）通信ユニット
１０３      表示パネル
１０４      再生モジュール
１０５      メモリユニット
１０６      スピーカ
【図１】
0003174613.tif 000003
【図２】
0003174613.tif 000004
【図３】
0003174613.tif 000005